(57)【要約】【課題】容器部自体が台本体に緊密に固定されて一体となって使用しやすく、使用後は容器部と台本体を容易に分離してコンパクトな状態で保管が可能な台付き容器を提供する。【解決手段】台付きグラス１０は、互いに別体であり連結して使用される台本体１１とグラス２１とを備えている。台本体１１の基部１２は、ゴム弾性体製で軸方向両端が開放された薄肉の筒状でかつ略円錐台形状になっており、内周面側において軸方向上端開口から軸方向下方に向けて軸方向略中間位置まで逆円錐状に延びた薄肉の受け部１６を設けている。受け部１６は、軸方向下端側にて軸心方向にわずかに突出した締付け突起１７を設けている。中間部１５には、薄肉で円錐形筒状の外金具１９が密着して取り付けられている。グラス２１は、受け部１６の内周形状とほぼ同様の傾斜の逆円錐形状であり、底部側を台本体１１の受け部１６内に挿嵌することにより取り付けられている。【選択図】    図４
2007136006.tif 000002
【特許請求の範囲】
【請求項１】
軸方向両端が開放された薄肉の筒状でかつ錐台形状になっており、小径側の開口にて内周面に沿って軸方向内方に延びた逆錐面形状の受け部を設けている弾性材料製の基部と、該基部の外周面に同軸状に重ね合わされて密着固定された薄肉金属製で筒状の外金具とを有する台本体と、前記受け部内にその小径側開口から挿嵌されて一体となって固定される外周面が逆錐面形状の容器部とを設けたことを特徴とする台付き容器。
【請求項２】
前記受け部の内周面から一体で軸心方向に突出した締付け突起を設けたことを特徴とする前記請求項１に記載の台付き容器。
【発明の詳細な説明】
【技術分野】
【０００１】
本発明は、ワイン、カクテル等の飲料を収容する飲料用グラス等であって台を別個に設けた台付き容器に関する。
【背景技術】
【０００２】
従来、ワイン、カクテル等の飲料を収容する飲料用グラス等については、通常は、飲料を入れる容器部分と台とがガラスで一体形成されたものがほとんどであった。しかし、従来のグラス等については、容器部分と台とが一体となった複雑な構造であるため、多数のグラスを使用後に保管する際に、非常に広い保管スペースを要するという問題がある。また、ガラス製の一体品は変化に乏しくデザイン的な新しさを盛り込むことができにくくなっている。例えば、台を有しないグラスについて、使用しないときはグラスを別体の台に置くようにしたものもある。しかし、このグラスは台とは別個のものでありそれ自体不安定な形状であるため、グラスを使用した後に台に戻さなければならないので、台のあるところで使用しなければならないという制約があった。
【０００３】
これに対して、例えば、特許文献１に示すように、底部側が円筒形のコップを、有底の円筒形で底部に光源を備えた台に嵌め合わせて、台とコップ外周間をパッキンで緊密に固定して両者を一体としたコップ台が知られている。しかし、このコップ台の場合、台とコップ外周共に円筒形であるため、パッキンを介して、両者を強固に嵌め合わせることが困難であり、一方、嵌め合わせを楽にするためにパッキンを緩くすると、両者の嵌め合わせが緩くなって、使用中に台とコップが外れやすくなるという問題がある。また、このコップ台においては、台とコップが共に円筒形であるため、使用後の保管の際にはやはり個々に戸棚等に収容する必要があり、広い収容スペースを要するという問題は解消されない。
【特許文献１】特開平９−２６６８４１号公報
【発明の開示】
【発明が解決しようとする課題】
【０００４】
本発明は、上記問題を解決しようとするもので、容器部自体が台本体に緊密に固定されて一体となって使用しやすく、また使用後は容器部と台本体を容易に分離してコンパクトな状態で保管が可能な台付き容器を提供することを目的とする。
【課題を解決するための手段】
【０００５】
上記目的を達成するために、本発明の構成上の特徴は、軸方向両端が開放された薄肉の筒状でかつ外形が錐台形状になっており、小径側の開口にて内周面に沿って軸方向内方に延びた逆錐面形状の受け部を設けている弾性材料製の基部と、基部の外周面に同軸状に重ね合わされて密着固定された薄肉金属製で筒状の外金具とを有する台本体と、受け部内にその小径側開口から挿嵌されて一体となって固定される外周面が逆錐面形状の容器部とを設けたことにある。
【０００６】
上記のように構成した本発明においては、外周面が逆錐面形状の容器部が、弾性材料製の逆錐面形状の受け部に合わせて挿嵌される際に、受け部の弾性変形により緊密に挿入される。さらに、基部の外周面に外金具が密着固定されていることにより、受け部の弾性変形が外金具で受け止められるため、容器部の台本体への挿嵌後に、容器部が受け部からの弾性反力により強固に締め付けられる。その結果、容器部と台本体の強固な一体化が確保され、容器部を手で持って移動させても、容器部から台本体が離脱するという不具合が確実に回避されるため、テーブルを離れて容器を使用するパーティ等の用途として非常に便利である。
【０００７】
また、外金具の取り付けられた台本体は、軸方向両端が開放された薄肉の筒状で外形が錐台形状であり、容器部も外周面が逆錐面形状であるため、台付き容器の使用後に、容器部と台本体を分離することにより、複数の容器部と台本体をそれぞれ別個に重ね合わせてコンパクトにまとめることができる。そのため、複数の台付き容器の使用後の保管の際に、戸棚等に収容するための広いスペースを必要としないので、多数の台付き容器を保管する場合に非常に便利である。さらに、台付き容器は、台本体と容器部とに分離されるため、それぞれの部分でデザインを加えることができ、全体として斬新なデザインを工夫することが可能になる。
【０００８】
また、本発明において、受け部の内周面から一体で軸心方向に突出した締付け突起を設けることが好ましい。これにより、受け部内に挿入された容器部が、受け部の内周面から一体で突出した締付け突起によって部分的に非常に強固に締め付けられるため、容器部と台本体の一体化がさらに強固に確保される。
【発明の効果】
【０００９】
本発明によれば、容器部の台本体への挿嵌により、容器部と台本体との強固な一体化が確保され、容器部から台本体が離脱するという不具合が確実に回避されるため、テーブルを離れて容器を使用するパーティ等の用途として非常に便利である。また、本発明によれば、台本体、容器部共に錐台形状であるため、台付き容器の使用後に、容器部と台本体を分離することにより、複数の容器部と台本体をそれぞれ別個に重ね合わせてコンパクトにまとめることができるため、戸棚等に収容するスペースを大幅に少なくできる。さらに、本発明によれば、台本体と容器部とに分離されるため、それぞれの部分でデザインを加えることができ、全体として斬新なデザインを工夫することが可能になる。
【発明を実施するための最良の形態】
【００１０】
以下、本発明の一実施例について図面を用いて説明する。図１〜図４は、実施例である台付き容器であるワインやカクテル等の飲料用の台付きグラスを正面図、底面、平面図及び断面図により概略的に示したものである。図５〜図７は、台付き容器の台本体を正面図、平面図及び底面図により概略的に示したものである。
【００１１】
台付きグラス１０は、互いに別体であり連結して使用される台本体１１と容器部であるグラス２１とを備えている。台本体１１は、ゴム弾性体製で軸方向両端が開放された薄肉の筒状であって外形が略円錐台形状になっている基部１２を有している。基部１２は、外周面側において、軸方向上端がわずかに径方向に突出した上端凸部１３になっており、また軸方向下端側がわずかに径方向に突出した下端凸部１４になっており、上下端間において円錐面状の中間部１５になっている。
【００１２】
基部１２は、内周面側において、軸方向上端開口１２ａから軸方向下方に向けて軸方向略中間位置まで逆円錐状に伸びた薄肉の受け部１６を設けている。受け部１６は、軸方向下端側において、周方向全周において軸心方向にわずかに突出した環状の締付け突起１７を設けている。基部１２内周面と受け部１６外周面の間の空間部分には、周方向の等間隔な６箇所において径方向に延びた連結片１８が配設されており、基部１２と受け部１６間が連結片１８によって連結されている。中間部１５には、薄肉の円錐形筒状の金具である外金具１９が密着し、上端凸部１３と下端凸部１４に挟まれて取り付けられている。グラス２１は、受け部１６の内周形状とほぼ同様の傾斜の逆円錐形状であり、下端側が丸められており、内側の飲料収容凹部２２の下端近傍位置から徐々に肉厚になっており底部２３で非常に厚くなっている。
【００１３】
外周面が逆錐面形状のグラス２１が、弾性材料製の台本体１１の上端開口１２ａから逆錐面形状の受け部１６に合わせて挿嵌される際に、受け部１６の弾性変形により緊密に挿入される。さらに、台本体１１の外周面に外金具１９が密着固定されているため、受け部１６の弾性変形が外金具１９で受け止められるため、グラス２１の台本体１１への挿嵌後に、グラス２１が受け部１６からの弾性反力により強固に締め付けられて受け部１６に緊密に固定される。さらに、受け部１６内に挿入されたグラス２１が、受け部１６の内周面から一体で突出した締付け突起１７によって部分的に非常に強固に締め付けられるため、グラス２１と台本体１１の一体化がさらに強固に確保される。
【００１４】
上記のように構成した本実施例においては、グラス２１の台本体１１への挿嵌によってグラス２１と台本体１１の強固な一体化が確保されるため、グラス２１を手で持って移動させても、台本体１１がグラス２１からが離脱するという不具合が確実に回避される。そのため、実施例１の台付きグラス１０は、グラス２１を持ってテーブルを離れるようなパーティ等の用途として非常に便利である。
【００１５】
また、外金具１９の取り付けられた台本体１１は、軸方向両端が開放された薄肉の筒状で外形が錐台形状であり、グラス２１も外周面が逆錐面形状になっている。そのため、台付きグラス１０の使用後に、グラス２１と台本体１１を分離することにより、図７、図８に示すように、複数のグラス２１を重ね合わせ、複数の台本体１１を重ね合わせることにより、非常にコンパクトにまとめることができる。そのため、台付きグラス１０の使用後の保管の際に、戸棚等に収容する広いスペースを必要としないので、特に多数の台付きグラスを用意する必要がある場合に非常に便利である。また、台付きグラス１０は、台本体１１とグラス２１とに分離されるため、それぞれの部分でデザインを加えることができ、全体として斬新なデザインを工夫することが可能になる。
【００１６】
なお、上記実施例は、台付きグラス１０については、グラス２１及び台本体１１共に円錐形状の筒形であるが、これに限らず角錐形状の筒形等、種々のデザインのものが可能である。また、上記実施例は、台付き容器の一例として、台付きグラスについて述べているが、これに代えて、グラス部分を花器とした台付き花器や、グラス部分を蝋燭立てとした台付き蝋燭立てとしても使用することができる。その他、上記各実施例に示した台付き容器については一例であり、本発明の趣旨を逸脱しない範囲において種々変更して実施することができる。
【産業上の利用可能性】
【００１７】
本発明は、容器部の台本体への挿嵌により、両者の強固な一体化が確保され容器部から台本体が離脱するという不具合が確実に回避されるため、テーブルを離れて容器を使用するパーティ等の用途として非常に便利であり、台付き容器の使用後に、容器部と台本体を分離することにより、複数の容器部と台本体をそれぞれ別個に重ね合わせてコンパクトにまとめることができるため、戸棚等に収容するスペースを大幅に少なくでき、さらに、台本体と容器部それぞれの部分でデザインを加えることができ、全体として斬新なデザインを工夫することが可能になるので、有用である。
【図面の簡単な説明】
【００１８】
【図１】本発明の一実施例である台付き容器を概略的に示す正面図である。
【図２】同台付き容器を示す平面図である。
【図３】台付き容器を示す底面図である。
【図４】台付き容器を示す図２のＩＶ−ＩＶ方向の断面図である。
【図５】台付き容器の台本体を示す正面図である。
【図６】台付き容器の台本体を示す平面図である。
【図７】台付き容器の台本体を示す底面図である。
【図８】台付き容器の容器部の保管状態を概略的に示す正面断面図である。
【図９】台付き容器の台本体の保管状態を概略的に示す正面断面図である。
【符号の説明】
【００１９】
１０…台付きグラス、１１…台本体、１２…基部、１６…受け部、１７…締付け突起、１９…外金具、２１…グラス。
【図１】
2007136006.tif 000003
【図２】
2007136006.tif 000004
【図３】
2007136006.tif 000005
【図４】
2007136006.tif 000006
【図５】
2007136006.tif 000007
【図６】
2007136006.tif 000008
【図７】
2007136006.tif 000009
【図８】
2007136006.tif 000010
【図９】
2007136006.tif 000011